(57)【要約】      （修正有）【課題】信号が歪むことを効果的に抑制できる受信装置を提供する。【解決手段】受信装置は、高周波信号を受信し、且つその高周波信号に対して増幅する低雑音増幅器１０と、増幅された高周波信号を中間周波信号に変換するチューナー２０と、受信した中間周波信号を復調信号に変換する復調器３０と、受信した復調信号の電圧レベルに基づいて利得制御信号を出力する自動利得制御器４０と、を備える。利得制御信号の電圧レベルが第一基準電圧レベルより高い場合、低雑音増幅器１０は正常動作モードになって、高周波信号を増幅し、利得制御信号の電圧レベルが第二基準電圧レベルより低い場合、低雑音増幅器１０は低利得モードになって、高周波信号を低減する。第二基準電圧レベルは、第一基準電圧レベルより低い。【選択図】図１
2014003605.tif 000002
【特許請求の範囲】
【請求項１】
高周波信号を受信し、且つその高周波信号に対して増幅する低雑音増幅器と、
増幅された前記高周波信号を中間周波信号に変換するチューナーと、
受信した前記中間周波信号を復調信号に変換する復調器と、
受信した前記復調信号の電圧レベルに基づいて利得制御信号を出力する自動利得制御器を備え、
前記利得制御信号の電圧レベルが第一基準電圧レベルより高い場合、前記低雑音増幅器は正常動作モードになり、前記高周波信号を増幅し、前記利得制御信号の電圧レベルが第二基準電圧レベルより低い場合、前記低雑音増幅器は低利得モードになり、前記高周波信号を低減し、前記第二基準電圧レベルは、前記第一基準電圧レベルより低いことを特徴とする受信装置。
【請求項２】
前記低雑音増幅器は、スイッチを備え、
前記利得制御信号の電圧レベルが前記第一基準電圧レベルより高い場合、前記スイッチは、前記低雑音増幅器の電源をオンして、前記低雑音増幅器を正常動作モードにし、前記利得制御信号の電圧レベルが前記第二基準電圧レベルより低い場合、前記スイッチは、前記低雑音増幅器の電源をオフして、前記低雑音増幅器を低利得モードにすることを特徴とする請求項１に記載の受信装置。
【請求項３】
前記受信装置は、前記利得制御信号の電圧レベルが、前記第一基準電圧レベルより高いかどうか又は前記第二基準電圧レベルより低いかどうかを検知するトリガーをさらに備え、
前記利得制御信号の電圧レベルが前記第一基準電圧レベルより高い場合、前記トリガーは、第一トリガー信号を出力して前記スイッチが前記低雑音増幅器の電源をオンするように制御し、前記利得制御信号の電圧レベルが前記第二基準電圧レベルより低い場合、前記トリガーは、第二トリガー信号を出力して前記スイッチが前記低雑音増幅器の電源をオフするように制御することを特徴とする請求項２に記載の受信装置。
【発明の詳細な説明】
【技術分野】
【０００１】
本発明は、受信装置に関し、特にテレビ受信装置に関するものである。
【背景技術】
【０００２】
従来の受信装置は、低雑音増幅器（ＬＮＡ）、チューナー（Ｔｕｎｅｒ）、復調器（Ｄｅｍｏｄｕｌａｔｏｒ）及び自動利得制御器（ＡＧＣ）を備える。低雑音増幅器は、高周波（ＲＦ）を増幅するために用いられ、チューナーは、増幅された高周波を中間周波（ＩＦ）に変換するために用いられ、自動利得制御器は、チューナー内の増幅器の利得（ｇａｉｎ）を制御するために用いられる。しかし、自動利得制御器の利得の最低値が０ｄＢ（ゼロｄＢ）である場合高周波が強すぎると、該自動利得制御器の利得が最低値に達しても、チューナー内部の信号が飽和されて歪み（Ｄｉｓｔｏｒｔｉｏｎ）をもたらしてしまう。
【発明の概要】
【発明が解決しようとする課題】
【０００３】
以上の問題点に鑑みて、本発明は、信号が歪むことを効果的に抑制できる受信装置を提供することを目的とする。
【課題を解決するための手段】
【０００４】
上記の課題を解決するために、本発明の受信装置は、高周波信号を受信し、且つその高周波信号に対して増幅する低雑音増幅器と、増幅された前記高周波信号を中間周波信号に変換するチューナーと、前記受信した中間周波信号を復調信号に変換する復調器と、受信した前記復調信号の電圧レベルに基づいて利得制御信号を出力する自動利得制御器と、を備える。前記利得制御信号の電圧レベルが第一基準電圧レベルより高い場合、前記低雑音増幅器は正常動作モードになり、前記高周波信号を増幅し、前記利得制御信号の電圧レベルが第二基準電圧レベルより低い場合、前記低雑音増幅器は低利得モードになって、前記高周波信号を低減し、前記第二基準電圧レベルは、前記第一基準電圧レベルより低い。
【発明の効果】
【０００５】
本発明に係る受信装置において、利得制御信号の電圧レベルが第二基準電圧レベルより低い場合、即ち低雑音増幅器が強すぎる高周波信号を受信した場合、低雑音増幅器が低利得モードになって、高周波信号を低減し、高周波信号が強すぎることに起因してチューナー内部の信号が飽和され、歪むことを防止することができる。
【図面の簡単な説明】
【０００６】
【図１】本発明に係る受信装置の機能ブロック図である。
【発明を実施するための形態】
【０００７】
以下、図面に基づいて、本発明に係る受信装置について詳細に説明する。
【０００８】
図１を参照すると、本発明に係る受信装置１００は、低雑音増幅器（ＬＮＡ）１０、チューナー（Ｔｕｎｅｒ）２０、復調器（Ｄｅｍｏｄｕｌａｔｏｒ）３０、自動利得制御器（ＡＧＣ）４０及びトリガー（ｔｒｉｇｇｅｒ）５０を備える。受信装置１００は、テレビ、セットトップボックス、携帯電話機、マルチメディアプレイヤー等の電子装置に採用される。
【０００９】
低雑音増幅器１０は、高周波信号（以下、ＲＦ信号と称する）を増幅した後、チューナー２０に出力する。低雑音増幅器１０は、電源１２及びスイッチ１４を備える。スイッチ１４は電源１２のオン／オフを制御する。電源１２がオンになり低雑音増幅器１０が通電されると、低雑音増幅器１０は正常動作モードになり、且つ利得（ｇａｉｎ）が増強される。電源１２がオフになり低雑音増幅器１０に電源が供給されなくなると、低雑音増幅器１０は低利得モードになり、且つ利得（ｇａｉｎ）は低減される。本実施形態において、低雑音増幅器１０が正常動作モードの場合、利得は略１５ｄＢであり、ＲＦ信号を増幅する。低雑音増幅器１０が低利得モードの場合、利得は略−２５ｄＢであり、ＲＦ信号を低減する。
【００１０】
チューナー２０は、ＲＦ信号を増幅し、且つ増幅されたＲＦ信号を中間周波信号（以下、ＩＦ信号と称する）に変換した後、このＩＦ信号を復調器３０に出力する。
【００１１】
復調器３０は、受信したＩＦ信号を復調信号に変換した後、その復調信号を自動利得制御器４０に出力する。
【００１２】
自動利得制御器４０は、受信した復調信号の強度に基づいて利得制御信号を出力して、チューナー２０に出力される利得を制御する一方、トリガー５０にも利得制御信号を出力する。具体的には、ＲＦ信号が強ければ強いほど、復調器３０が出力する復調信号は強く、自動利得制御器４０が出力する利得制御信号の電圧レベルは低い。逆に、ＲＦ信号が弱ければ弱いほど、復調器３０が出力する復調信号は弱く、自動利得制御器４０が出力する利得制御信号の電圧レベルは高い。
【００１３】
トリガー５０は、利得制御信号の電圧レベルが第一基準電圧レベルより高いかどうか又は第二基準電圧レベルより低いかどうかを検知する。第一基準電圧レベルは、第二基準電圧レベルより高い。利得制御信号の電圧レベルが第一基準電圧レベルより高い場合、ＲＦ信号は弱い。この時、トリガー５０は、第一トリガー信号を出力して、スイッチ１４で電源１２をオンするように制御して、低雑音増幅器１０を正常動作モードにする。利得制御信号の電圧レベルが第二基準電圧レベルより低い場合、ＲＦ信号は強すぎる。この時、トリガー５０は、第二トリガー信号を出力して、スイッチ１４で電源１２をオフするように制御して、低雑音増幅器１０を低利得モードにする。本実施形態において、トリガー５０は、シュミットトリガー（Ｓｃｈｍｉｔｔ  Ｔｒｉｇｇｅｒ）である。
【００１４】
本発明に係る受信装置１００において、低雑音増幅器１０が強すぎるＲＦ信号を受信した場合、トリガー５０は、電源１２がオフされるように制御して、該ＲＦ信号を低減させて、ＲＦ信号が強すぎることに起因してチューナー２０内部の信号が飽和されて歪むこと防止する。
【００１５】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１６】
１００    受信装置
１０    低雑音増幅器
１２    電源
１４    スイッチ
２０    チューナー
３０    復調器
４０    自動利得制御器
５０    トリガー
【図１】
2014003605.tif 000003